(57)【特許請求の範囲】
【請求項１】
平面視で矩形のＬＣＤ収納部を有するケースを基板に組み付け、該ケースの前記ＬＣＤ収納部に平面視で矩形のＬＣＤを組み付けるＬＣＤ組付構造であって、
前記ＬＣＤ収納部が、前記ＬＣＤを収納した時に前記ＬＣＤの周囲に間隙が生じて平面視で縦方向及び横方向にわずかに移動可能であるとともに、前記ＬＣＤ収納部に対して垂直である収納方向に沿った軸を中心にわずかに回動可能な大きさに形成され、前記ケースが、前記ＬＣＤ収納部の一つの角部近傍の部分に、前記ＬＣＤの浮き止め用の突起を有するとともに、前記ＬＣＤを組み付ける際に前記ＬＣＤ収納部内で前記ＬＣＤを回動した時に、前記角部及び前記角部の対角の角部以外の一方の角部が前記ＬＣＤ収納部の縦方向に沿った内壁と接する回動位置で、前記対角の角部の逃げ部となり前記対角の角部と前記ＬＣＤ収納部の横方向に沿った内壁との接触を回避して前記回動を許容するための凹部を、前記ＬＣＤ収納部の前記対角の角部の近傍の横方向に沿った前記内壁に有することを特徴とするＬＣＤ組付構造。
【請求項２】
前記基板上にコネクタが装備され、前記ＬＣＤが該コネクタに挿着されるＬＣＤ端子を有し、前記突起が前記ＬＣＤ収納部側面の前記ＬＣＤ端子側と対向する側面上方に設けられ、前記凹部が前記ＬＣＤ収納部底面の前記ＬＣＤ端子側に設けられていることを特徴とする請求項１に記載したＬＣＤ組付構造。
【発明の詳細な説明】
【技術分野】
【０００１】
本発明は、例えば車両の計器に取付ける液晶モニタや液晶ディスプレイ等のＬＣＤ（Liquid Crystal Display）をメータケースに組み付けるＬＣＤ組付構造に関する。
【背景技術】
【０００２】
従来のＬＣＤ組付構造の一例として、ＬＣＤホルダのＬＣＤ収納部に、爪部を有する一対の付勢部を設けたものが知られている（例えば、特許文献１参照）。このようなＬＣＤ組付構造は、ＬＣＤホルダの一対の付勢部にＬＣＤの一端を当接させながらＬＣＤ端子を開口穴に挿入するようにしている。
【特許文献１】特開２０００−００４０８７号公報
【発明の開示】
【発明が解決しようとする課題】
【０００３】
ところが、上記特許文献１のようなＬＣＤ組付構造では、ＬＣＤホルダの一対の付勢部にＬＣＤの一端を当接させた際にＬＣＤが傾くために、当然、ＬＣＤ端子の突出方向がＬＣＤの外側になる。それにより、ＬＣＤ端子に曲げ応力を与えながら開口穴に挿入することになって、ＬＣＤ端子を折り曲げてしまったり、ＬＣＤ端子のＬＣＤとの接続部分を破損したりする虞がある。
【０００４】
そこで、図７に示すように、ＬＣＤ端子を保護するために、抜け止め用の単一の突起を設けたものが提案されている。このようなＬＣＤ組付構造においては、メータケース５１の四角形状をなすＬＣＤ収納部５２の側部の上方側に単一の突起５３が配置されている。そして、ＬＣＤ５４を組み付けるに際しては、突起５３にＬＣＤ５４が引っ掛からないようにＬＣＤ５４をＬＣＤ収納部５２内に斜めに配置しながら、各ＬＣＤ端子５５の先端部を不図示のメータ基板上に装備されたコネクタの真上に配置し、各ＬＣＤ端子５５をコネクタに挿着しながら、ＬＣＤ５４の傾きを調節して突起５３の下方にＬＣＤ５４を挿入するようにしていた。
【０００５】
しかし、このようなＬＣＤ組付構造では、ＬＣＤ端子５５の保護はできるものの、ＬＣＤ５４をＬＣＤ収納部５２内に斜めに配置した際に、ガラス等を用いて作製されているＬＣＤ５４の角部分５６がＬＣＤ収納部５２の端壁５７にぶつかって欠けたり、複数の薄い部材が積層されているＬＣＤ５４の層が剥がれたりすることがある。
【０００６】
本発明は、上述した事情に鑑みてなされたものであり、その目的は、損傷することなくＬＣＤの組付けを行うことができるＬＣＤ組付構造を提供することにある。
【課題を解決するための手段】
【０００７】
１）本発明に係るＬＣＤ組付構造は、平面視で矩形のＬＣＤ収納部を有するケースを基板に組み付け、該ケースの前記ＬＣＤ収納部に平面視で矩形のＬＣＤを組み付けるＬＣＤ組付構造であって、前記ＬＣＤ収納部が、前記ＬＣＤを収納した時に前記ＬＣＤの周囲に間隙が生じて平面視で縦方向及び横方向にわずかに移動可能であるとともに、前記ＬＣＤ収納部に対して垂直である収納方向に沿った軸を中心にわずかに回動可能な大きさに形成され、前記ケースが、前記ＬＣＤ収納部の一つの角部近傍の部分に、前記ＬＣＤの浮き止め用の突起を有するとともに、前記ＬＣＤを組み付ける際に前記ＬＣＤ収納部内で前記ＬＣＤを回動した時に、前記角部及び前記角部の対角の角部以外の一方の角部が前記ＬＣＤ収納部の縦方向に沿った内壁と接する回動位置で、前記対角の角部の逃げ部となり前記対角の角部と前記ＬＣＤ収納部の横方向に沿った内壁との接触を回避して前記回動を許容するための凹部を、前記ＬＣＤ収納部の前記対角の角部の近傍の横方向に沿った前記内壁に有することを特徴としている。
【０００８】
上記１）に記載の発明によれば、突起にＬＣＤが引っ掛からないようにＬＣＤをＬＣＤ収納部内に斜めに配置した際に、ＬＣＤの角部分が凹部内に入り込むことで、ＬＣＤがＬＣＤ収納部に衝突しない。従って、損傷することなくＬＣＤの組付けを行うことができる。
【０００９】
２）本発明に係るＬＣＤ組付構造は、上記１）に記載したＬＣＤ組付構造において、前記基板上にコネクタが装備され、前記ＬＣＤが該コネクタに挿着されるＬＣＤ端子を有し、前記突起が前記ＬＣＤ収納部側面の前記ＬＣＤ端子側と対向する側面上方に設けられ、前記凹部が前記ＬＣＤ収納部底面の前記ＬＣＤ端子側に設けられていることを特徴としている。
【００１０】
上記２）に記載の発明によれば、突起がＬＣＤ端子側と対向するＬＣＤ収納部の側面上方に設けられていて、凹部がＬＣＤ収納部底面のＬＣＤ端子側に設けられているため、突起にＬＣＤが引っ掛からないようにＬＣＤをＬＣＤ収納部内に斜めに配置した際に、その突起から離れて配置されていて突出するＬＣＤの角部分に対応して凹部が配置されるために、衝突により損傷を受け易いＬＣＤの角部分を凹部内に収納してＬＣＤを損傷から回避して保護することができる。
【発明の効果】
【００１１】
本発明のＬＣＤ組付構造によれば、ＬＣＤ端子を折り曲げてしまう、ＬＣＤ端子のＬＣＤとの接続部分を破損してしまう、ＬＣＤが欠ける、ＬＣＤの層が剥がれたりする、という問題を解消でき、これにより、損傷することなくＬＣＤの組付けを行うことができるという効果が得られる。
【発明を実施するための最良の形態】
【００１２】
以下、本発明に係る好適な実施の形態例を図面に基づいて詳細に説明する。
図１は本発明に係るＬＣＤ組付構造の一実施形態が用いられるメータアッシの分解斜視図、図２は図１に示すメータアッシにおけるメータパネルとメータ基板との組付け状態での平面図、図３は図２に示すメータパネルとメータ基板とＬＣＤとの組付け関係を説明する分解斜視図、図４は図３の縦断面図、図５は図３に示すＬＣＤの組付け手順を説明する平面図、図６は図５に続くＬＣＤの組付け手順を説明する平面図である。
【００１３】
図１に示すように、本発明の一実施形態であるＬＣＤ組付構造が用いられるメータアッシ１０は、クリアカバー１１と、クラスターリッド（見返し）１２と、文字板１３と、メータケース１４と、メータ基板１５と、後面カバー１６と、ＬＣＤ１７と、から構成されている。
【００１４】
クリアカバー１１は、透明な樹脂製であり、クラスターリッド１２の前面を覆ってクラスターリッド１２に組み付けられる。また、クラスターリッド１２は、文字板１３の表示部分の回りを覆ってメータケース１４に組み付けられる。
【００１５】
文字板１３は、例えば、ポリカーボネイト製であり、ＬＣＤ窓部１８を中央に配置して、両側部にスピードメータ１９とタコメータ２０とを配置し、方向指示意匠部を含む各種警告表示意匠部２１を上部に配置した横長形状をしている。また、文字板１３には、各メータに対応する指針２２，２３の指針袴が貫通される指針孔２４，２５が形成されている。
【００１６】
メータケース１４は、例えば、プラスチック製であり、文字板１３の形状に対応した横長の皿形状に形成されている。このメータケース１４は、裏面カバー１６に一体化されて、メータ基板１５を両面から挟み込むようにして収容する。このメータケース１４には、文字板１３のＬＣＤ窓部１８に対応した中央に、四角形の孔形状に形成されたＬＣＤ収納部２６が配置されており、上部に各種警告表示意匠部２１に対応した複数の光路孔２７が配置されている。ＬＣＤ収納部２６は、四角錐台形状の筒状をなし中央部に光透過部２８を有する。
【００１７】
また、メータケース１４は、ＬＣＤ収納部２６に浮き止め用兼抜け止め用の単一の突起２９を有する。この突起２９は、ＬＣＤ収納部２６における後述するＬＣＤ端子側と対向する左側面３０の上方側に四角形状に突出形成されている。そして、メータケース１４は、ＬＣＤ収納部２６のＬＣＤ端子側底部に、底面３１から下方に向けて切除された凹部３２を有する。
【００１８】
メータ基板１５は、文字板１３と略同形の横長形状をしている。このメータ基板１５上には、ＩＣチップ等の電子部品（不図示）が取り付けられているとともに、メータケース１４の光路孔２７に対応させた複数のＬＥＤ３３が取り付けられている。また、メータ基板１５には、メータケース１４のＬＣＤ収納部２６における光透過部２８の内側に対応させた複数の３個のＬＥＤ３４が取付けられているとともに、ＬＥＤ３４の右方側にコネクタ３５が装備されている。
【００１９】
後面カバー１６は、メータケース１４と同様の、例えば、プラスチック製の横長の皿形状に形成されている。この後面カバー１６は、メータケース１４に一体化されて、メータ基板１５を両面から挟み込むようにして組み付けられる。
【００２０】
ＬＣＤ１７は、液晶モニタや液晶ディスプレイ等のＬＣＤ（Liquid Crystal Display）であり、メータ基板１５に電気的に接続されてマルチインフォメーションディスプレイとした場合に、エアコン情報、車両情報、オーディオ情報、ＴＶ情報、ナビゲーション情報、ハンドフリー電話情報、等の各種情報を表示する。ＬＣＤ１７には、右側面に複数のＬＣＤ端子３６をメータ基板１５のコネクタ３５に向けて突出しており、メータケース１４のＬＣＤ収納部２６に前方から装着されることでＬＣＤ端子３６がコネクタ３５内に装備された不図示の端子に電気的に接続される。ＬＣＤ１７は、不図示のＢＥＦ（Band Elimination Filter）や拡散板等の光学部材が積層されて構成されている。
【００２１】
図２に示すように、メータケース１４のＬＣＤ収納部２６は、右側部に各ＬＣＤ端子３６を挿通させて、メータ基板１５上のコネクタ３５に接続させるため１０個の貫通孔状に形成された端子支持孔３７を有する。凹部３２は、底面３１から下方に向けて切除されているために、ＬＣＤ収納部２６は、その高さ方向が、左方側で長さＬ１を有し、右方側で左方側よりも長い長さＬ２を有し、ＬＣＤ１７の外寸よりも大きい内寸を有する。
【００２２】
図３に示すように、ＬＣＤ１７は、右側面に、複数の１０本のＬＣＤ端子３６を有し、これらＬＣＤ端子３６が内部の光学回路に電気的に接続されている。
【００２３】
図４に示すように、メータケース１４がメータ基板１５に組付けられることで、ＬＣＤ収納部２６の光透過部２８がメータ基板１５上のＬＥＤ３４を包囲して配置される。また、端子支持孔３７は、メータ基板１５のコネクタ３５に孔方向を向けて配置される。そして、突起２９は、ＬＣＤ収納部２６の上面から、ＬＣＤ１７の厚さｔ１よりもわずかに大きい隙間寸法Ｌ３を有する。
【００２４】
次に、図５及び図６を参照して、ＬＣＤ１７のＬＣＤ収納部２６への組付け手順について説明する。
【００２５】
まず、図５に示すように、ＬＣＤ１７をＬＣＤ収納部２６上に配置（図３参照）し、各端子支持孔３７にＬＣＤ１７の各ＬＣＤ端子３６をわずかに挿入しながら、突起２９にＬＣＤ１７が引っ掛からないようにＬＣＤ１７をＬＣＤ収納部２６内に斜めに落とし込む。このとき、各ＬＣＤ端子３６には、曲げ応力はかからない。そして、突起２９がＬＣＤ１７のＬＣＤ端子３６側と対向するＬＣＤ収納部２６の左側面３０の上方側に配置されていて、凹部３２がＬＣＤ収納部２６の底面３１のＬＣＤ端子３６側に配置されているために、突起２９から離れて配置されていて突出するＬＣＤ１７の角部３８が凹部３２内に収納され、ＬＣＤ１７の角部３８がＬＣＤ収納部２６に衝突しない。
【００２６】
続いて、図６に示すように、各ＬＣＤ端子３６を各端子支持孔３７に押圧挿入しながら、ＬＣＤ１７を、図６中の反時計回転方向である、突起２９の下方へ挿入させる方向へ回動させる。これにより、各ＬＣＤ端子３６が各端子支持孔３７を貫通してコネクタ３５に接続されると同時に、ＬＣＤ１７が突起２９によって浮き止められてＬＣＤ収納部２６に組み付けられる。
【００２７】
このようなメータアッシ１０は、文字板１３と、指針２２，２３と、クラスターリッド１２と、クリアカバー１１とがメータケース１４の前面に順次組み付けられる。そして、上述したようにしてＬＣＤ１７がメータケース１４のＬＣＤ収納部２６に組み付けられ、後カバー１６がメータケース１４の後面に組み付けられる。
【００２８】
そして、メータ基板１５に配置されている電源端子に電源が、各ＬＥＤ３３に各種警告灯回路が、各指針２２，２３の不図示のムーブメントにムーブメント回路が、コネクタ３５及びＬＥＤ３４にＬＣＤ表示回路が、それぞれ電気的に接続され、メータケース１４がインストパネルにねじ止めされる。その後、エンジンが始動されることにより、ムーブメント回路を介してタコメータ２０の指針２３が作動を開始し、各種警告灯回路を介してＬＥＤ３３が点灯され、ＬＣＤ表示回路を介してＬＣＤ１７が各種情報を表示する。
【００２９】
上述したＬＣＤ組付構造の一実施形態によれば、突起２９にＬＣＤ１７が引っ掛からないようにＬＣＤ１７をＬＣＤ収納部２６内に斜めに配置した際に、ＬＣＤ１７の角部３８が凹部３２内に入り込むことで、ＬＣＤ１７がＬＣＤ収納部２６に衝突しない。これにより、損傷することなくＬＣＤ１７の組付けを行うことができる。
【００３０】
また、突起２９がＬＣＤ端子３６側と対向するＬＣＤ収納部２６の左側面３０の上方側に配置されていて、凹部３２がＬＣＤ収納部２６の底面３１のＬＣＤ端子３６側に配置されているために、突起２９にＬＣＤ１７が引っ掛からないようにＬＣＤ１７をＬＣＤ収納部２６内に斜めに配置した際に、その突起２９から離れて配置されていて突出するＬＣＤ１７の角部３８に対応して凹部３２が配置されることで、衝突により損傷を受け易いＬＣＤ１７の角部３８を凹部３２内に収納してＬＣＤ１７を損傷から回避して保護することができる。
【００３１】
なお、本発明は、前述した実施形態に限定されるものではなく、適宜、変形、改良等が可能である。例えば、ＬＣＤ端子の数やＬＣＤ用のＬＥＤの数は、図示したものに限定されず、表示する情報の仕様に応じて選択設定することができる。
【００３２】
また、メータアッシに装備される計器は、図示したものに限定されず、例えば、油圧メータや水温メータを配置しても良い。
【図面の簡単な説明】
【００３３】
【図１】本発明に係るＬＣＤ組付構造の一実施形態が用いられるメータアッシの分解斜視図である。
【図２】図１に示したメータアッシにおけるメータパネルとメータ基板との組付け状態での平面図である。
【図３】図２に示したメータパネルとメータ基板とＬＣＤとの組付け関係を説明する分解斜視図である。
【図４】図３の縦断面図である。
【図５】図３に示したＬＣＤの組付け手順を説明する平面図である。
【図６】図５に続くＬＣＤの組付け手順を説明する平面図である。
【図７】従来のＬＣＤ組付構造を説明する平面図である。
【符号の説明】
【００３４】
１０  メータアッシ
１４  メータケース
１５  メータ基板
１７  ＬＣＤ
２６  ＬＣＤ収納部
２９  突起
３２  凹部
３５  コネクタ
３６  ＬＣＤ端子
【図１】
0004804070.tif 000002
【図２】
0004804070.tif 000003
【図３】
0004804070.tif 000004
【図４】
0004804070.tif 000005
【図５】
0004804070.tif 000006
【図６】
0004804070.tif 000007
【図７】
0004804070.tif 000008